(57)【要約】      （修正有）【課題】インスツルメントが懸架された時に、当該インスツルメントに装着されている切削具部が、術者の手指やインスツルメントホースを傷つけないようにしたインスツルメントホルダの提供。【解決手段】上方の開口からインスツルメント（８1〜８4）を挿脱でき、前方のスリット（１０ａ1〜１０ａ4）からインスツルメントに接続されているインスツルメントホース（６1〜６4）を挿脱できるインスツルメント懸架孔を有するインスツルメントホルダ本体部（１０1〜１０4）と、前記スリット（１０ａ1〜１０ａ4）に対応するスリット（１１ａ1〜１１ａ4）を有し、前記インスツルメント懸架孔の周囲に上下動可能な筒状カバー部材（１１1〜１１4）とを有する。前記インスツルメント懸架孔にインスツルメントが懸架された時に、該インスツルメントの自重により、前記筒状カバー部材が上昇して該インスツルメントのヘッド部を覆うようにした。【選択図】図１
2007296168.tif 000002
【特許請求の範囲】
【請求項１】
上方の開口からインスツルメントを挿脱でき、前方のスリットから前記インスツルメントに接続されているインスツルメントホースを挿脱できるインスツルメント懸架孔を有するインスツルメントホルダ本体部と、前記スリットに対応するスリットを有し、前記インスツルメント懸架孔の周囲に沿って上下動可能な筒状カバー部材とを有し、前記インスツルメント懸架孔にインスツルメントが懸架された時に、該インスツルメントの自重により、前記筒状カバー部材が上昇して該インスツルメントのヘッド部を覆うようにしたことを特徴とする歯科用インスツルメントホルダ。
【請求項２】
前記筒状カバー部材は押下された時に、前記懸架されているインスツルメントを上昇し、該インスツルメントを引き出し可能としたことを特徴とする請求項１に記載の歯科用インスツルメントホルダ。
【請求項３】
前記インスツルメント懸架孔内に、インスツルメントを支える支持部材を上下動可能に有し、該支持部材と前記筒状カバー部材の下部とを固定滑車を介してワイヤにて連結し、前記筒状カバー部材を押下して、該筒状カバー部材を下降させるとともに前記支持部材を上昇させ、前記インスツルメント懸架孔内にインスツルメントを挿入して前記支持部材にて該インスツルメントを支えた時に、該インスツルメントの自重により該支持部材が下降し、前記筒状カバー部材を上昇させて当該インスツルメントのヘッド部に装着されている切削具を覆うようにしたことを特徴とする請求項１又は２に記載の歯科用インスツルメントホルダ。
【発明の詳細な説明】
【技術分野】
【０００１】
本発明は、歯科用インスツルメントホルダ、より詳細には、ヘッド部に切削具を有するインスツルメントを、ヘッド部を上方にして懸架する縦置き式のインスツルメントホルダにおいて、インスツルメントのヘッド部に取り付けられている刃物（切削具）に術者の手指が触って術者が怪我をしたり、インスツルメントを引き出したりする時に、該インスツルメントが接続されているインスツルメントホースが隣接するインスツルメントのヘッド部に取り付けられている刃物に当って傷つけられてしまうのを防止するようにした歯科用インスツルメントホルダに関する。
【背景技術】
【０００２】
図３は、本発明が適用される縦置き式のインスツルメントホルダを有する歯科治療ユニットの一例を説明するための全体構成図で、該歯科治療ユニットは、歯科治療椅子１、ワークテーブル２、スピットン３、無影灯４、インスツルメントホルダ５、インスツルメントホース６、フットスイッチ７等からなり、インスツルメントホルダ５には、歯科治療において使用する種々のインスツルメント８が懸架されており、周知のように、歯科治療に当たり、患者は歯科治療椅子１に座り、頭を安頭台１ａに固定して治療を受ける。治療中、術者は、歯科治療椅子１を上下動，倒起動，傾斜動等させて、患者を治療しやすい姿勢にして治療を行う。
【０００３】
上述のごときインスツルメントホルダ５において、一般には、インスツルメント８は、ヘッド部に切削具（刃物）８ａを装着した状態で懸架されており、歯科治療に当り、術者が施術に必要な所望のインスツルメントを引き出そうとして手を伸ばした時に、術者の手指がインスツルメント８のヘッド部に装着されている切削具８ａに当って、手指を傷つけてしまったり、所望のインスツルメントを引き出した時に、引き出したインスツルメントに接続されているインスツルメントホース６が隣接配置されているインスツルメントの切削具（刃物）に当って、該引き出したインスツルメントのインスツルメントホースが傷ついてしまう等の問題があった。
【発明の開示】
【発明が解決しようとする課題】
【０００４】
本発明は、上述のごとき実情に鑑みてなされたもので、特に、縦置き式のインスツルメントホルダにおいて、インスツルメントホルダにインスツルメントを懸架した時に、当該インスツルメントに装着されている切削具を自動的にカバーするようにして、該切削具（刃物）によって術者の手指が傷つけられないようにし、更には、インスツルメントを引き出した時に、該インスツルメントが接続されているインスツルメントホースが隣接配置されているインスツルメントのヘッド部に取り付けられている切削具によって傷つけられないようにしたインスツルメントホルダを提供することを目的としてなされたものである。
【課題を解決するための手段】
【０００５】
請求項１の発明は、上方の開口からインスツルメントを挿脱でき、前方のスリットから前記インスツルメントに接続されているインスツルメントホースを挿脱できるインスツルメント懸架孔を有するインスツルメントホルダ本体部と、前記スリットに対応するスリットを有し、前記インスツルメント懸架孔の周囲に沿って上下動可能な筒状カバー部材とを有し、前記インスツルメント懸架孔にインスツルメントが懸架された時に、該インスツルメントの自重により、前記筒状カバー部材が上昇して該インスツルメントのヘッド部を覆うようにしたことを特徴としたものである。
【０００６】
請求項２の発明は、請求項１の発明において、前記筒状カバー部材は押下された時に、前記懸架されているインスツルメントを上昇し、該インスツルメントを引き出し可能としたことを特徴としたものである。
【０００７】
請求項３の発明は、請求項１又は２の発明において、前記インスツルメント懸架孔内に、インスツルメントを支える支持部材を上下動可能に有し、該支持部材と前記筒状カバー部材の下部とを固定滑車を介してワイヤにて連結し、前記筒状カバー部材を押下して、該筒状カバー部材を下降させるとともに前記支持部材を上昇させ、前記インスツルメント懸架孔内にインスツルメントを挿入して前記支持部材にて該インスツルメントを支えた時に、該インスツルメントの自重により該支持部材が下降し、前記筒状カバー部材を上昇させて当該インスツルメントのヘッド部に装着されている切削具を覆うようにしたことを特徴としたものである。
【発明の効果】
【０００８】
インスツルメントがインスツルメントホルダに懸架された時に、該インスルツメントに装着されている切削具（刃物）部を自動的にカバーするようにしたので、該切削具（刃物）によって術者の手指が傷つけられたり、更には、インスツルメントを引き出す時或いは引き出したインスツルメントを戻す時に、該インスツルメントのインスツルメントホースが隣接配置されたインスツルメントのヘッド部に取り付けられている切削具によって傷つけられるようなことはない。
【発明を実施するための最良の形態】
【０００９】
図１は、本発明による歯科用インスツルメントホルダの一実施形態を説明するための要部構成図で、図中、２はワークテーブル、５はインスルツメントホルダ、６（６1〜６4）はインスツルメントホース、１０（１０1〜１０4）はインスツルメントホルダ本体部、１１（１１1〜１１4）は各インスツルメントホルダ本体部１０に対応して配設され、該インスツルメントホルダ本体部１０に対して、上下方向（軸方向）に移動可能な筒状カバー部材で、該筒状カバー部材１１は、インスツルメント８（８1〜８4）がインスツルメントホルダに懸架されている時は、１１1，１１3，１１4にて示すように、インスツルメントホルダ本体部１０（１０1，１０3，１０4）から上方に突出して、懸架されているインスツルメント８（８1，８3，８4）の周囲をカバーし、これらインスツルメントの切削具（刃物）８ａに術者の手指がふれないようにしている。
【００１０】
図１において、インスツルメント８2は、上述のようにして懸架されているインスツルメントをインスツルメントホルダから引き出して使用している時の様子を示す図で、例えば、インスツルメントホルダ本体部１１2に懸架されているインスツルメント８2を引き出すには、筒状カバー部材１１2を上から押し下げると同時に当該インスツルメント８2を上方に押し上げ、インスツルメントを引き出しやすくし、引き出したインスツルメントを元に戻す時は、引き出したインスツルメント８2を該インスツルメントホルダ本体部１１2に懸架すると、インスツルメントの重さで、該インスツルメント８2がインスツルメントホルダ本体部１０2内に落ち込み、同時に、筒状カバー部材１１2を持ち上げ、図１において、１１1，１１3，１１4に示す状態とする。
【００１１】
図２は、上述のごとき動作を実施するための一構成例を説明するための要部構成図で、図２（Ｂ）はインスツルメント８がインスツルメントホルダ本体部１０内に懸架され、該インスツルメント８が筒状カバー部材１１によって覆われている時の様子を示す図、図２（Ｂ）は、インスツルメントホルダ本体部１０に懸架されているインスツルメント８を取り出そうとして、筒状カバー部材１１を押し下げた時の様子を示す図である。
【００１２】
図２において、１０はインスツルメントホルダ本体部、１１は筒状カバー部材、１２はインスツルメント支持部材、１３は固定滑車、１４は前記筒状カバー部材１１の下端部と前記支持部材１２とを前記固定滑車１３を介して連結するためのワイヤで、支持部材１２は、インスツルメントホルダ本体部１０内を上下方向に移動可能となっている。
【００１３】
図２（Ａ）において、インスツルメント８はインスツルメントホルダ本体部１０内に設けられたインスツルメント支持部材１２によって支えられているが、この時、支持部材１２はインスツルメント８を自力で支える力はなく、インスツルメント８の重さによって最下端まで押し下げられている。この時、つまり、インスツルメント支持部材１２が最下端の位置にある時は、筒状カバー部材１１は上方に押し上げられ、インスツルメント８のヘッド部に装着されている切削具８ａを覆い、該切削具８ａによって、術者の手指やインスツルメントホースを傷つける心配はない。
【００１４】
インスツルメントを使用しない時は、図２（Ａ）の状態にある筒状カバー部材１１の上端部を矢印方向に押圧して、該筒状カバー部材１１を下降させると、インスツルメント支持部材１２がワイヤ１４によって上昇され、図２（Ｂ）に示す状態となる。この図２（Ｂ）に示す状態において、術者はインスツルメント８を握って、該インスツルメント８をインスツルメントホルダ５から引き出すことができる。
【００１５】
なお、上述のようにして、インスツルメント８を上方に持ち上げて図２（Ｂ）に示す状態にした時に、筒状カバー部材１１を押圧している手を放すと、インスツルメント８の自重で該インスツルメント８が下降して図２（Ａ）に示した状態に戻ってしまうので、インスツルメント８を図２（Ｂ）に示した状態に保持するため、支持部材１２が最上端位置に来た時に、該支持部材１２を係止しておくための周知のロック機構を設け、該ロック機構にて、インスツルメント８を一時的に図２（Ｂ）に示す状態に保持し、施術後、インスツルメント８を戻す時に、該インスツルメントをインスツルメント懸架孔内に押し込むようにして該ロック機構のロックを解除するようにするとよい。
【００１６】
本発明は、上述のように動作して、インスツルメント８を非使用時は、図２（Ａ）に示した状態にて筒状カバー部材１１内に収納しておき、使用時、図２（Ｂ）に示した状態にして施術するものであり、そのためインスツルメントホルダ本体部１０及び筒状カバー部材１１は、上方からインスツルメント８を出し入れ可能であり、前方にはインスツルメントホース６を出し入れするためのスリット１０ａ（１０ａ1〜１０ａ4），１１ａ（１１ａ1〜１１ａ4）が設けられている。
【００１７】
なお、以上には、インスツルメント８の上下動、換言すれば、筒状カバー部材及びインスツルメント支持部材の上下動を手動及びインスツルメントの自重で行う例について説明したが、その他に、例えば、押し釦スイッチを設けておき、該押し釦スイッチを押した時にモータ駆動或いは油圧駆動等により、図１（Ａ）に示した状態にし、再度、該押し釦スイッチを押した時に、図２（Ｂ）に示した状態にする等、本発明の上記動作を実行できるようにすることもできる。
【図面の簡単な説明】
【００１８】
【図１】本発明による歯科用インスツルメントホルダの一実施態様を説明するための要部概略構成図である。
【図２】本発明によるインスツルメントホルダの動作例を説明するための要部構成図である。
【図３】本発明が適用されるインスツルメントホルダの一例を示す要部構成図である。
【符号の説明】
【００１９】
２…ワークテーブル、５…インスツルメントホルダ、６（６1〜６4）…インスツルメントホース、８（８1〜８4）…インスツルメント、８ａ（８ａ1〜８ａ4）…切削具（刃物）、１０（１０1〜１０4）…インスツルメントホルダ本体部、１０ａ（１０ａ1〜１０ａ4）…インスツルメント本体部のスリット、１１（１１1〜１１4）…筒状カバー部材、１１（１１ａ1〜１１ａ4）…筒状カバー部材のスリット、１２…インスツルメント支持部材、１３…固定滑車、１４…ワイヤ。
【図１】
2007296168.tif 000003
【図２】
2007296168.tif 000004
【図３】
2007296168.tif 000005